(57)【要約】【課題】障害物がある複雑な形状のダクト内清掃を簡便効率よく清掃できる清掃装置、清掃方法を提供する。【解決手段】ダクトの内壁に向けて圧縮空気噴出で駆動するはたき作用による堆積塵埃をはたき落とすはたき部分と可撓性のホース空気吸引部分の先端部に位置するはたき落とされた塵埃を吸引除去する塵埃吸引部分とを備え、前記塵埃吸引部分とはたき部分とが、隣接された状態で挿入され作動するダクト内清掃装置と清掃方法。【選択図】図３
2009166019.tif 000002
【特許請求の範囲】
【請求項１】
ダクト内に可撓性のホースと共に移動自在に挿入されるダクト内清掃装置であって、少なくとも、ダクトの内壁に向けて圧縮空気噴出で駆動するはたき作用による堆積塵埃をはたき落とすはたき部分と、可撓性のホースにより圧搾空気を供給する可撓性のホースである圧縮空気供給部分と、可撓性のホースにより空気を吸引する可撓性のホース空気吸引部分と、可撓性のホース空気吸引部分の先端部に位置するはたき落とされた塵埃を吸引除去する塵埃吸引部分とを備え、前記塵埃吸引部分とはたき部分とが、隣接された状態で挿入され作動することを特徴とするダクト内清掃装置。
【請求項２】
はたき部分が、空気噴出部分のホースの先端部に一端が接続され自由に動ける自由端を有する可撓性の管であり、この可撓性の管（チュウブ）が噴出される空気によって自由端が激しく自由に動き回りはたき作用を行うものである請求項１記載のダクト内清掃装置。
【請求項３】
はたき部分の最小径が、可撓性のホースにより圧搾空気を供給する可撓性のホースおよびまたは清掃装置構成部品すべての最大径よりも大きいものである請求項１〜２いずれかに記載のダクト内清掃装置。
【請求項４】
ダクト内に可撓性のホースと共に移動自在に挿入されるダクト内清掃装置を、ダクト内の所定位置に誘導する誘導具を有する請求項１〜３いずれかに記載のダクト内清掃装置。
【請求項５】
ダクト内に可撓性のホースと共に移動自在に挿入されるダクト内清掃装置を使用するダクト内清掃方法であって、ダクトの内壁に向けて圧縮空気噴出で駆動するはたき作用による堆積塵埃をはたき落とすはたき部分と、可撓性のホースにより圧搾空気を供給する可撓性のホースである圧縮空気供給部分と、可撓性のホースにより空気を吸引する可撓性のホース空気吸引部分と、可撓性のホース空気吸引部分の先端部に位置するはたき落とされた塵埃を吸引除去する塵埃吸引部分とを使用し、前記塵埃吸引部分とはたき部分とを、常時隣接された状態で挿入移動させ、作動させることを特徴とするダクト内清掃方法。
【発明の詳細な説明】
【技術分野】
【０００１】  本発明は、圧搾空気の噴射による堆積塵埃のはたき落とし作用とはたき落とされた塵埃の減圧による吸引作用によりダクト内の清掃を行うダクト清掃装置および清掃方法に関するものである。
【背景技術】
【０００２】  ダクト内の清掃装置には、例えば伸張アクチュエータを介してダクト断面方向に伸張付勢可能とされた伸縮フレームに動輪を取り付け、この動輪でダクト内の清掃装置がダクト内を走行できるように構成する方法（特許文献１参照）が提案されている、この伸縮フレームには直接又は別体にダクト内壁面に接すると共に回転ブラシを内挿した吸引チャンバ部が形成されており、この吸引チャンバ部にダクト内の塵埃を吸引する集塵ホースが連結された吸引手段が接続されている。駆動装置によって清掃装置をダクト内で移動させることにより、清掃対象のダクトの底面又は内壁面全域を吸引チャンバがなぞりながら回転ブラシにて塵埃を落とし集塵ホースで吸引することにより、ダクトの底面又は内壁面全域に渡って付着した塵埃を除去していた。これにより、清掃面に付着した塵埃を飛散させずに除去していた。【０００３】  他に、噴射チューブと、該噴射チューブの径方向外側を囲むように配置されるガイドガイドとを備え、前記噴射チューブの内周側に流体を通過させて噴出させることにより前記噴射チューブを前記ガイドに沿って旋回させながら流体を噴射させる流体噴射ガンにおいて、前記ガイドの外側を囲むと共に前記噴射チューブの噴射方向に開口部を有したケースを設け、該ケースに前記噴射チューブから噴射された流体を吸引する排出管を設けた清掃装置が提案されている（特許文献２参照）。
【特許文献１】特開平  １０−２４９２９７号公報
【特許文献２】特開２００６−２４６９２８号公報
【発明の開示】
【発明が解決しようとする課題】
【０００４】  特許文献１においては、ダクト内の清掃装置は駆動装置が設けられたダクト内清掃装置をダクト内で移動させて、ダクトの底面又は内壁面全域を回転ブラシなどを回転させて塵埃を落とし、落とした塵埃を集塵ホースで吸引していた。この集塵ホースは回転ブラシにて落とした後、落とした塵埃を吸引するだけであった。このため、回転ブラシ及び駆動装置の移動による振動などによって、ダクト内に傷が付いてしまう。また、集塵ホースでダクト内に落ちた塵埃を吸引するだけでは、ダクト内の塵埃を完全に吸引できずダクトの隅の塵埃が残ってしまうという問題があった。特許文献２においては、この課題は解決できるかもしれないが、いずれの方法においても、障害物のないダクト内の清掃においてはその効果を発揮できても、ダクト内に空気の吹き出し口や、取り込み口などのダクト内には多くの障害物が存在する場合があり、塵埃を叩き落す部分とその塵埃を排出させる部分とをダクト内をスムースに移動させることが極めて困難である。
本発明はかかる従来技術の課題を解決せんとするものであり、障害物の存在する、狭い部分や曲がりくねった部分を有するダクトの堆積塵埃を効率よくはたき落とし排出させるダクト内清掃装置とその方法を提供するものである。
【課題を解決するための手段】
【０００５】  本発明は、以下の構成による。
１．  ダクト内に可撓性のホースと共に移動自在に挿入されるダクト内清掃装置であって、少なくとも、ダクトの内壁に向けて圧縮空気噴出で駆動するはたき作用による堆積塵埃をはたき落とすはたき部分と、可撓性のホースにより圧搾空気を供給する可撓性のホースである圧縮空気供給部分と、可撓性のホースにより空気を吸引する可撓性のホース空気吸引部分と、可撓性のホース空気吸引部分の先端部に位置するはたき落とされた塵埃を吸引除去する塵埃吸引部分とを備え、前記塵埃吸引部分とはたき部分とが、隣接された状態で挿入され作動することを特徴とするダクト内清掃装置。
２．  はたき部分が、空気噴出部分のホースの先端部に一端が接続され自由に動ける自由端を有する可撓性の管であり、この可撓性の管が噴出される空気によって自由端が激しく自由に動き回りはたき作用を行うものである１．のダクト内清掃装置。
３．  はたき部分の最小径が、可撓性のホースにより圧搾空気を供給する可撓性のホースおよびまたは清掃装置構成部品すべての最大径よりも大きいものである１．〜２．いずれかのダクト内清掃装置。
４．  ダクト内に可撓性のホースと共に移動自在に挿入されるダクト内清掃装置を、ダクト内の所定位置に誘導する誘導具を有する１．〜３．いずれかのダクト内清掃装置。
５．  ダクト内に可撓性のホースと共に移動自在に挿入されるダクト内清掃装置を使用するダクト内清掃方法であって、ダクトの内壁に向けて圧縮空気噴出で駆動するはたき作用による堆積塵埃をはたき落とすはたき部分と、可撓性のホースにより圧搾空気を供給する可撓性のホースである圧縮空気供給部分と、可撓性のホースにより空気を吸引する可撓性のホース空気吸引部分と、可撓性のホース空気吸引部分の先端部に位置するはたき落とされた塵埃を吸引除去する塵埃吸引部分とを使用し、前記塵埃吸引部分とはたき部分とを、常時隣接された状態で挿入移動させ、作動させることを特徴とするダクト内清掃方法。
【発明の効果】
【０００６】  本発明の、ダクト内に可撓性のホースと共に移動自在に挿入されるダクト内清掃装置であって、少なくとも、ダクトの内壁に向けて圧縮空気噴出で駆動するはたき作用による堆積塵埃をはたき落とすはたき部分と、可撓性のホースにより圧搾空気を供給する可撓性のホースである圧縮空気供給部分と、可撓性のホースにより空気を吸引する可撓性のホース空気吸引部分と、可撓性のホース空気吸引部分の先端部に位置するはたき落とされた塵埃を吸引除去する塵埃吸引部分とを備え、前記塵埃吸引部分とはたき部分とが、隣接された状態で挿入され作動するダクト内清掃装置および塵埃吸引部分とはたき部分とを、常時隣接された状態で挿入移動させ、作動させるダクト内清掃方法によれば、ダクト内が均一な断面でなく、そのダクト内に空気取り入れ口や空気排気口が存在して、清掃装置が挿入口からダクトの隅々まで移動することができないダクトの堆積塵埃を、容易かつ簡便に堆積はたき落とすことができ、かつはたき落とされた塵埃の排出を効率よく行うことができダクト内清掃に極めて有効であり、意義深いものである。
【発明を実施するための最良の形態】
【０００７】  本発明は、被清掃物である長期にわたって使用されて塵埃などが堆積したダクト内に、所定の挿入口から、可撓性ホースの先端部に逆噴射部やはたき部分などを有する器具を取り付け、空気などを噴射させながら器具とともに可撓性ホースを、人が入っていけない障害物などが多いダクト内を移動させて、ダクトのすみずみまで達するようにして、ダクト内壁の堆積塵埃をはたき落とし吸引除去することを主目的とする。
本発明を以下主に図面で説明する。
図１は、例えば電車や建物の空調設備などに使用されているダクト１．の概略を示すものである。このダクト１．は矩形や円形の断面を有した薄い鉄板などで構成されたものであり、通常人がその中のすみずみまで入っていき清掃をできるほど大きさの断面や開口を有するものではなく、さらには空気取り入れ口１１．や空調された空気を所定部に送出または排気する空調口１０．やさらには電気配線箱部や屈曲部などを有したものであって、その内部の清掃は簡単には実施できなかったものである。ダクト内清掃においては、空気取り入れ口１１．や空調された空気を所定部に送出または排気する空調口１０．が清掃装置の挿入開口部を相当させられる場合が多い。
本発明はかかる断面や開口の複雑なダクト内の清掃を簡便用意に効率よく実施し得る清掃装置と清掃方法を提供するものである。【０００８】  図２はダクト１．内の壁面などの堆積塵埃を清掃する概要を示す図であり、清掃装置のはたき部分２．が圧縮空気によって旋回作動しながら壁面をはたき、堆積塵埃３．をはたき落としている様子を示し、この場合のはたき部分はブラシを取り付けたものである。
図３は本発明の清掃装置のはたき部分などの細部の概略例を示す図であり、この例示の場合、はたき部分２．は空気逆噴射穴８．を有する部品４．とその先端にブラシ（はたき具）を装着し得る装着部位５．を備えているものから構成され、ほぼ円錐形が底部で合体された形状であり、進行、後退のいずれにおいてもその部位がダクト内の突起などに引っ掛かることのないようにしたものである。このはたき部分２．に圧縮空気を供給する耐圧性可撓性のホース６．がはたき部分に圧縮空気を供給し、空気逆噴射口８．から空気が噴射されることで、はたき部分が自由運動を行い、はたき部分がダクト内を進行することと、旋回運動によるはたき落とすこととの作動をなしている。
本発明における特徴は、このはたき部分２．の近傍に常時はたき落とされた塵埃を吸引除去できるように吸引部分が位置するように工夫されたものであり、圧縮空気を供給する耐圧性可撓性のホース６．を内装するように、空気吸引部分の空気を吸引する耐圧性可撓性のホース７．が配置されており、このホースにははたき部分２．の近傍に塵埃吸引部分である吸引穴９．が設けられている。【０００９】  本発明における、別の態様として、前記した圧縮空気を供給する耐圧性可撓性のホース６．を内装するように、空気吸引部分の空気を吸引する耐圧性可撓性のホース７．が配置されており、このホースにははたき部分２．の近傍に塵埃吸引部分である吸引穴９．が設けた場合と別に、空気吸引部分の空気を吸引する耐圧性可撓性のホース７．が圧縮空気を供給する耐圧性可撓性のホース６．とは一体化しない別の方式で、はたき部分２．の近傍に塵埃吸引部分の吸引穴９．が常時位置するようにしてもよい。
例えば、いったん、圧縮空気を供給する耐圧性可撓性のホース６．の先端に空気逆噴射穴８．を有する部品４．を取り付ける、その際、耐圧性可撓性のホース６．とともに誘導具である線や紐類を部品４．などに取り付けておき、所定の挿入口Ａ．からダクト内に挿入し所定部まで空気逆噴射を利用して進行・移動させ、圧縮空気を止めて、その位置での開口部Ｂ．において誘導具をいったん外しこの誘導具を利用して最初の挿入口Ａ．から、先端部に塵埃を吸引除去する塵埃吸引部分を備えた耐圧性可撓性のホースを開口部Ｂ．まで誘導し、清掃を開始する装置および方法がある。【００１０】  本発明において、好ましい態様としてはたき部分２．や部品４．における最小径が、耐圧性可撓性のホース７．などの他の清掃装置の少なくともダクト内を移動するすべての部位における最大径よりも大きいことである。このことによって、はたき部分がダクト内を進行または後退すること、旋回運動によるはたき落とす作動が極めてスムースに実施できる。【００１１】  また、本発明における他の好ましい態様として、部品４．の先端部位５．はたき具として可撓性のチュウブ、例えばシリコーン製のチュウブを一本または複数本装着し、このチュウブが圧縮空気を噴出させながら自由運動をして、はたき作用を実施する装置および方法が挙げられる。
【産業上の利用可能性】
【００１２】
【００１３】  前記したように、このようなダクト清掃装置および方法を採用することで、ダクト内とダクトの外側である車体や建物を汚さずダクト内だけを清掃することができ、はたき部分と塵埃吸引部分とが一体化もしくは常時近傍に配置された簡便な装置であり、かつはたき部分やその大部を構成する部品４．における最小径が、耐圧性可撓性のホースなどの他の清掃装置の少なくともダクト内を移動するすべての部位における最大径よりも大きいことによって、複雑な形状や障害物が存在するダクトであっても、清掃装置がダクト内をスムースに移動するかとが可能となり、簡単な構成で車両や建物に設けたダクト内を効率よく清掃することができる。
【図面の簡単な説明】
【００１４】
【図１】  ダクトの概要を示す図である。
【図２】  ダクト内を本発明の清掃装置で清掃する状態の概要を示す図である。
【図３】  本発明の清掃装置のはたき部分の一例の概要を示す図である。上段は、同一ホース内に圧縮空気供給ホースと空気吸引ホースとが配されたもの、下段はそれぞれが別に配されたものを示す。
【符号の説明】
【００１５】  １．  ダクト
２．  はたき部分
３．  ダスト内壁堆積塵埃
４．  はたき部分の空気逆噴射穴を有する部品
５．  はたき具を取り付けるための装着部位
６．  圧縮空気を供給する耐圧性可撓性のホース
７．  空気吸引部分の空気を吸引する耐圧性可撓性のホース
８．  空気逆噴射穴
９．  塵埃吸引部分である吸引穴
１０．  空調された空気を所定部に送出または排気する空調口
１１．  空気取り入れ口
【図１】
2009166019.tif 000003
【図２】
2009166019.tif 000004
【図３】
2009166019.tif 000005